(57)【特許請求の範囲】
【請求項１】
先端に着脱自在の口金を設けた前方外筒と後方外筒を屈撓自在とする屈撓機構と、該屈撓機構の屈撓操作により出入するボールペンリフィルの停止機構とよりなり、屈撓機構は前方外筒の後部に嵌合部を形成して突設した胴中子と、後方外筒の先端に設けた屈撓滑器とよりなり、胴中子には強発条を介して屈撓滑器を貫通し、屈撓滑器の先端滑部を嵌合部に嵌合するとともに、屈撓滑器の内壁に周設した滑鍔部を前記強発条と胴中子に固定した屈撓固定具により挟持すると共に、前方外筒の後端には後方外筒の外径よりも大きい内径で屈撓滑器を被う隠蔽リングを設けてあり、ボールペンリフィルの停止機構は前方外筒の先端に固定した胴先中子と、該胴先中子の係止部を有する空間部に内装し、基端部を係止部に係止しボールペンリフィルを後方に押圧する円錐コイルバネと、先端部が胴先中子の空間部後部位置に摺動自在に挿入され胴中子を前後動自在に貫通して後方に突出する挿入筒と、挿入筒の前方部に固定され後方に広がる押拡用カムと該押拡用カムと所定間隔を持たせて固定したストッパーと押拡用カムとストッパーの間に押拡用カムの外径よりも大きい外径を有し、且つ前後に遊動自在に貫遊した遊動リングと、前方外筒の内壁に取り付けてこの取り付け位置より前方位置において押拡用カムを押接する弾性ロック爪と、挿入筒の後端位置に設けたコイルバネを介して前後動自在の滑頭キャップと、該滑頭キャップが応当する鋭角状の円錐面を設けた押当体よりなり、押当体は後方外筒の内壁に固定し、前方外筒と後方外筒の屈撓時にボールペンリフィルの芯先を口金より突出自在とした屈撓式ボールペン。
【発明の詳細な説明】
【０００１】
【産業上の利用分野】
本発明は屈撓式ボ−ルペンの改良に関するものである。
【０００２】
【従来の技術】
従来の屈撓式ボ−ルペンは、前方外筒と後方外筒を屈撓自在に連結し、その屈撓操作によって前方外筒の先端に設けた口金より芯先を出没させるようになっている（実公平１−２６４７２号公報、実用新案登録第２５１５５６０号公報）。
【０００３】
【従来技術の欠点】
然し乍らこの屈撓式ボ−ルペンは口金とボールペンリフィルを押圧するコイルバネが分離しているため、ボールペンリフィルの交換時とかの口金の着脱作業時にコイルバネが不用意に跳びだして紛失したり、又コイルバネの向きを逆にしたりするなどして故障の原因となる虞があり、更には屈撓滑器と前方外筒の境界部が露呈しているためその境界部が屈撓操作時に直接皮膚を挾み傷めるなどの虞があった。
【０００４】
又屈撓操作時には、ボールペンリフィルの挿入筒の後端部が円錐面の角度に沿って無理に摺動するようになるが、その際に挿入筒或はボールペンリフィルの先端に「よじれ」現象が生じて挿入筒の先端が口金内壁面に不用意に触れたり、引掛る等してスム−ズな前後動ができなくなったり、ましてボールペンリフィルの前後動のストロ−クを長くしようとすると円錐面の角度をより鋭角にする必要があるが、この鋭角状にすることにより益々「よじれ」現象が大きくなりスム−ズな動きができなくなる。一方円錐面をより鈍角状にするとスム−ズには動くが、ストロ−クが短くなり使用できなくなる虞が生じる。
【０００５】
【発明が解決しようとする課題】
そこで本発明は、ボールペンリフィルの交換時とかの口金の着脱作業時にコイルバネが不用意に跳び出すことなく、又屈撓操作時でも屈撓滑器と前方外筒の境界部に指を挾んだりすることのない安全で且つボールペンリフィルの前後動をより長く且つスム−ズな作動のできる屈撓式ボールペンを提供しようとするものである。
【０００６】
【実施例】
本発明を図示の実施例によって詳記すると、先端に螺着手段により着脱自在の口金２６を設けた前方外筒１と後方外筒２を屈撓自在に連結した屈撓機構３と、該屈撓機３の屈撓操作により出入するボールペンリフィル４の停止機構５とよりなっている。
【０００７】
屈撓機構３は、前方外筒１の後部に嵌合部６を形成して突設した胴中子８と、後方外筒２の先端に設けた屈撓滑器９とよりなり、胴中子８には強発条１０を介して屈撓滑器９を貫通し、屈撓滑器９の先端部は丸味を帯びた先端に先細りの先端滑部１１となっていて嵌合部６に嵌合するとともに、屈撓滑器９の内壁に周設した挟持鍔１２を前記強発条１０と胴中子８に固定した屈撓固定具１３により挟持すると共に、前方外筒の１の後端には後方外筒２の外径よりも大きい内径で屈撓滑器９を被う隠蔽リング１４を設けてある。
【０００８】
ボールペンリフィル４の停止機構５は、前方外筒１の先端に固定した胴先中子１５と、該胴先中子の、段差状の係止部１５”を有する空間部１５’に内装し、基端部を係止部１５”に係止しボールペンリフィル４を後方に押圧する円錐コイルバネ１６と、先端部が胴先中子１５の空間部１５’後部位置に摺動自在に挿入され胴中子８を前後動自在に貫通して後方に突出する挿入筒１７と、挿入筒１７の前方部に固定され後方に広がる押拡用カム１８と該押拡用カムと所定間隔を持たせて固定したストッパー１９と、押拡用カム１８とストッパー１９の間に押拡用カムの外径よりも大きい外径を有し、且つ前後に遊動自在に貫遊した遊動リング２０と、前方外筒１の内壁に取り付けてこの取り付け位置より前方位置において押拡用カム１８を押接する弾性ロック爪２１と、挿入筒１７の後端位置に設けたコイルバネ２２を介して前後動自在の滑頭キャップ２３と、該滑頭キャップが応当する鋭角状の円錐面２４を設けた押当体２５よりなり、押当体２５の鞘状部２５’は後方外筒２の前端部に接着剤等を介して螺着してあって、前方外筒と後方外筒の屈撓時にボールペンリフィル４の芯先を口金２６より突出自在としたものである。
【０００９】
図中２９はクリップ、２７は天ビス、２８はボールペンリフィル４の基端を支える支え片である。
【００１０】
【作用】
このボ−ルペンを使用するには屈撓機構３を強発条１０に抗して上下、左右の何れかに折り曲げることにより滑頭キャップ２３の頂部が押当体２５の円錐面２４を滑って裾方向に位置する。従って挿入筒１７、ボ−ルペンリヒ−ル４は円錐面２４深さの分だけ円錐コイルバネ１６に抗して前方に押し出され芯先が口金２６より前方に突出する。同時に弾性ロック爪２１、２１が押拡用カム１８を滑って行って外れると同時に遊動リング２０を掻き上げていって押拡用カム１８と遊動リング２０の間に侵入する。かくて屈撓機構３を元の真直ぐの位置に戻してもボ−ルペンリヒ−ル８は突出したままで図１の筆記状態になる。
この時円錐面２４がより鈍角状で挿入筒１７或はボールペンリフィル４のストロ−クが短いと弾性ロック爪２１、２１と遊動リング２０の掻きあげがスム−ズにおこなわれず、よってカム１８と遊動リング２０の間の隙間が少なく弾性ロック爪２１、２１の先端が侵入しなくなる虞があるが、本願では円錐面を鋭角状にしてボールペンリフィルのストロ−クを大きくしてあるので確実に弾性ロック爪の先端をカムと遊動リングの間に浸入させることができる。
【００１１】
更に屈撓機構３を折り曲げ操作することにより円錐面２４の最深位置にある滑頭キャップ２３の頂部は円錐面２４の中間面に押されて挿入筒１７を前方に押し出す。このとき挿入筒１７のストッパー１９が弾性ロック爪２１，２１の侵入に抗して遊動リング２０を押し進め、この遊動リング２０の上に弾性ロック爪２１，２１を位置させる。隠して屈撓機構３を戻すことにより円錐コイルバネ１６に押されて挿入筒１７が引込むが、その際押拡用カム１８と遊動リング２０の前面部が接して後方に移動し、同時に弾性ロック爪２１，２１が遊動リング２０を滑って離れ押拡用カム１８の周面に位置し図２のように芯先が引っ込んだ状態になる。
【００１２】
ボールペンリフィル４の入替え作業は、先ず口金２６を外し、ボールペンリフィル４を挿入筒１７から引き抜けば良く、新しいボールペンリフィルを挿入筒に差し込む。この時円錐コイルバネ１６は胴先中子１５内に収まったままとなっている。
【００１３】
【効果】
本発明は叙上のように、先端に着脱自在の口金を設けた前方外筒と後方外筒を屈撓自在とする屈撓機構と、該屈撓機構の屈撓操作により出入するボールペンリフィルの停止機構とよりなり、屈撓機構は前方外筒の後部に嵌合部を形成して突設した胴中子と、後方外筒の先端に設けた屈撓滑器とよりなり、胴中子には強発条を介して屈撓滑器を貫通し、屈撓滑器の先端滑部を嵌合部に嵌合するとともに、屈撓滑器の内壁に周設した滑鍔部を前記強発条と胴中子に固定した屈撓固定具により挟持すると共に、前方外筒の後端には後方外筒の外径よりも大きい内径で屈撓滑器を被う隠蔽リングを設けてあり、ボールペンリフィルの停止機構は前方外筒の先端に固定した胴先中子と、該胴先中子の係止部を有する空間部に内装し、基端部を係止部に係止しボールペンリフィルを後方に押圧する円錐コイルバネと、先端部が胴先中子の空間部後部位置に摺動自在に挿入され胴中子を前後動自在に貫通して後方に突出する挿入筒と、挿入筒の前方部に固定され後方に広がる押拡用カムと該押拡用カムと所定間隔を持たせて固定したストッパーと押拡用カムとストッパーの間に押拡用カムの外径よりも大きい外径を有し、且つ前後に遊動自在に貫遊した遊動リングと、前方外筒の内壁に取り付けてこの取り付け位置より前方位置において押拡用カムを押接する弾性ロック爪と、挿入筒の後端位置に設けたコイルバネを介して前後動自在の滑頭キャップと、該滑頭キャップが応当する鋭角状の円錐面を設けた押当体よりなり、押当体は後方外筒の内壁に固定し、前方外筒と後方外筒の屈撓時にボールペンリフィルの芯先を口金より突出自在としたので、屈撓操作に際しても屈撓滑器と前方外筒の境界部が隠蔽されていて直接皮膚を挟み傷めるなどの虞がなく安全である。
【００１４】
又前方外筒の先端に固定した胴先中子内にボールペンリフィルを後方に押圧する円錐コイルバネが収められているので、口金の着脱操作時に円錐コイルバネを不用意に跳ね飛ばして紛失したり、装填を誤ったりすることなく安心して着脱操作ができる。
【００１５】
挿入筒の先端部が胴先中子の空間部後部位置に摺動自在に挿入され、且つ挿入筒の中間部分が胴中子を前後動自在に貫通して後方に突出するように装填されているので、滑頭キャップが鋭角状の円錐面でこじられるような状態で前後に移動させても、挿入筒の先端部は胴先中子の中にスム−ズに浸入することができ、屈撓操作が円滑にできる。その結果として円錐面の角度もより鋭角状にでき、且つ挿入筒の前後動のストロ−クをより大きくできて、確実に停止機構が作動し芯先の出入操作ができる。
【図面の簡単な説明】
【図１】本発明に係る屈撓式ボールペンの筆記時における中央端面説明図。
【図２】本発明に係る屈撓式ボールペンの不使用時における中央端面説明図。
【符号の説明】
１は前方外筒
２は後方外筒
３は屈撓機構
４はボールペンリフィル
５は停止機構
６は嵌合部
８は胴中子
９は屈撓滑器
１０は強発条
１１は先端滑部
１２は滑鍔部
１３は屈撓固定部
１４は隠蔽リング
１５は胴先中子
１５’は空間部
１６は円錐コイルバネ
１７は挿入筒
１８は押拡用カム
１９はストッパ−
２０は遊動リング
２１は弾性ロック爪
２２はコイルバネ
２３は滑頭キャップ
２４は円錐面
２５は押当体
２６は口金
【図１】
0003585435.tif 000002
【図２】
0003585435.tif 000003